【手続補正書】
【提出日】令和2年5月27日(2020.5.27)
【手続補正１】
【補正対象書類名】特許請求の範囲
【補正対象項目名】全文
【補正方法】変更
【補正の内容】
【特許請求の範囲】
【請求項１】
皮膚治療システムであって、
患者の皮膚に接触する冷却アプリケータと、
前記冷却アプリケータと熱的に連結された冷却設備と、
前記冷却設備と動作可能に連結されたコントローラと、
を含み、
前記コントローラは、冷却治療周期を提供するように前記冷却設備を制御するように構成され、前記冷却治療周期は、
前記患者の前記皮膚と接触する前に前記冷却アプリケータを治療前温度まで事前冷却し、前記冷却アプリケータが前記患者の前記皮膚に接して置かれた後で第１の期間にわたり前記治療前温度を目指して前記冷却アプリケータを冷却することと、
前記第１の期間後に、かつ前記冷却アプリケータが前記皮膚に接して保持されている間に、第２の期間にわたり前記治療前温度より高い治療温度を目指して前記冷却アプリケータの温度を調節することと、
を含む、皮膚治療システム。
【請求項２】
前記第２の期間は、前記第１の期間より長い、請求項１に記載の皮膚治療システム。
【請求項３】
前記治療温度は、０℃を下回る、請求項１または２に記載の皮膚治療システム。
【請求項４】
前記治療前温度は、−１０℃〜−２０℃である、請求項１から３のいずれか一項に記載の皮膚治療システム。
【請求項５】
前記治療温度は、−２℃〜−１０℃である、請求項１から４のいずれか一項に記載の皮膚治療システム。
【請求項６】
前記第２の期間は、期間が前記第１の期間より３〜１０倍長い、請求項１から５のいずれか一項に記載の皮膚治療システム。
【請求項７】
前記第２の期間は、５秒未満である、請求項１から６のいずれか一項に記載の皮膚治療システム。
【請求項８】
前記冷却治療周期は、前記第２の期間の後で、かつ前記冷却アプリケータが前記皮膚に接して置かれている間、前記治療温度より高い治療後温度を目指して前記冷却アプリケータを調節することをさらに含む、請求項１から７のいずれか一項に記載の皮膚治療システム。
【請求項９】
前記冷却アプリケータは、熱電クーラーを含み、前記コントローラは、前記熱電クーラーを通る電流を逆にすることによって前記治療後温度を目指して前記冷却アプリケータを調節する、請求項８に記載の皮膚治療システム。
【請求項１０】
前記治療後温度は、０℃〜４０℃である、請求項８または９記載の皮膚治療システム。
【請求項１１】
前記コントローラと連結された接触センサーをさらに含み、前記接触センサーは、前記冷却アプリケータと患者の前記皮膚との間の力を測定するように構成され、前記第１の期間または前記第２の期間は、前記接触センサーによって測定された前記力に基づいて、自動的に調節される、請求項１から１０のいずれか一項に記載の皮膚治療システム。
【請求項１２】
前記コントローラと連結された接触センサーをさらに含み、前記接触センサーは、前記冷却アプリケータと患者の前記皮膚との間の力を測定するように構成され、前記治療前温度または前記治療温度は、前記接触センサーによって測定された前記力に基づいて、自動的に調節される、請求項１から１０のいずれか一項に記載の皮膚治療システム。
【請求項１３】
前記コントローラと連結された接触センサーをさらに含み、前記接触センサーは、前記冷却アプリケータと前記患者の前記皮膚との間の接触を決定するように構成され、前記コントローラは、前記接触センサーによって決定された皮膚接触に基づいて前記冷却治療周期を自動的に開始する、請求項１から１０のいずれか一項に記載の皮膚治療システム。
【請求項１４】
前記コントローラと連結された接触センサーをさらに含み、前記接触センサーは、前記冷却アプリケータと前記患者の前記皮膚との間の接触を決定するように構成され、前記コントローラは、皮膚接触が前記接触センサーにより感知されない場合、前記冷却設備を前記治療前温度に自動的に戻す、請求項１から１０のいずれか一項に記載の皮膚治療システム。
【請求項１５】
前記接触センサーは、力センサー、光センサー、ＩＲセンサー、または温度センサーを含む、請求項１３に記載の皮膚治療システム。
【請求項１６】
前記接触センサーは、力センサーを含み、前記皮膚治療システムは、前記皮膚治療システムの配向を感知するように構成された配向センサーをさらに含み、前記コントローラは、前記配向センサーにより感知された前記皮膚治療システムの前記配向に基づいて前記力センサーからの圧力測定値を調節するように構成されている、請求項１４または１５に記載の皮膚治療システム。
【請求項１７】
皮膚色素沈着治療システムであって、
患者の皮膚に接触する冷却アプリケータと、
前記冷却アプリケータと熱的に連結された熱電クーラーと、
前記熱電クーラーと動作可能に連結されたコントローラと、
を含み、
前記コントローラは、冷却治療周期を提供するため、前記熱電クーラーへの電流を制御するように構成され、前記冷却治療周期は、
前記冷却アプリケータがある期間にわたり前記皮膚に接して保持されている間に治療温度を目指して前記冷却アプリケータを冷却するように前記熱電クーラーに電流を印加することと、
前記ある期間の後、前記冷却アプリケータが前記皮膚に接して保持されている間に治療後温度を目指して前記冷却アプリケータの温度を調節するように前記熱電クーラーへの前記電流を逆にすることと、
を含み、
前記治療後温度は４０℃未満である、皮膚色素沈着治療システム。
【請求項１８】
前記治療後温度は、１０℃未満である、請求項１７に記載の皮膚色素沈着治療システム。
【請求項１９】
皮膚治療システムにおいて、
患者の皮膚に接触する冷却アプリケータと、
前記冷却アプリケータと熱的に連結された冷却設備と、
前記冷却設備およびバイブレータと動作可能に連結されたコントローラと、
を含み、
前記コントローラは、冷却治療を提供するように前記冷却設備および前記バイブレータを制御するように構成され、前記冷却治療は、
前記冷却アプリケータを冷却して、前記患者の前記皮膚を過冷却することと、
前記皮膚における氷形成を促進するために振動を過冷却された前記皮膚に送るよう、前記バイブレータを適用することと、
を含む、皮膚治療システム。
【請求項２０】
前記コントローラは、前記バイブレータから振動を加える前に所定の時間にわたり前記患者の前記皮膚を過冷却するように構成されている、請求項１９に記載の皮膚治療システム。
【請求項２１】
前記コントローラは、前記患者の前記皮膚に振動を加えた後で第１の期間にわたり前記冷却アプリケータを治療温度に調節するように構成されている、請求項１９または２０に記載の皮膚治療システム。
【請求項２２】
前記コントローラは、前記第１の期間の後で、かつ前記冷却アプリケータが前記皮膚に接して位置付けられ維持されている間、凍結した皮膚組織を解かすために治療後温度を目指して前記冷却アプリケータの温度を調節するように構成されている、請求項２１に記載の皮膚治療システム。
【請求項２３】
前記治療後温度は、０℃〜１０℃である、請求項２２に記載の皮膚治療システム。
【請求項２４】
前記第１の期間は、１０〜３０秒である、請求項２１から２３のいずれか一項に記載の皮膚治療システム。
【請求項２５】
前記治療温度は、−２℃〜−１０℃である、請求項２１から２３のいずれか一項に記載の皮膚治療システム。
【請求項２６】
前記コントローラと連結された接触センサーをさらに含み、前記接触センサーは、前記冷却アプリケータと前記患者の前記皮膚との間の力を測定するように構成され、前記治療温度または前記第１の期間は、前記冷却アプリケータと前記患者の前記皮膚との間の力に基づいて自動的に調節される、請求項２１から２３のいずれか一項に記載の皮膚治療システム。
【請求項２７】
前記コントローラと連結された接触センサーをさらに含み、前記コントローラは、前記冷却アプリケータが前記患者の前記皮膚から取り外されたことを示す、前記接触センサーからの信号に基づいて、前記冷却アプリケータをアイドル状態に向けて戻すように構成されている、請求項１９から２６のいずれか一項に記載の皮膚治療システム。
【請求項２８】
前記接触センサーは、力センサー、光センサー、ＩＲセンサー、または温度センサーを含む、請求項２７に記載の皮膚治療システム。